(57)【要約】【課題】  室内に設置することも可能で、病院或いは施設等で使用することが可能である水泳訓練補助機を提供することを目的とする。【解決手段】  貯水する一つの小型スイミングプール(１０)と、１つのロッドアセンブリと、制限ロープ（４０）と、１つの人体保持体とを有する。ロッドアセンブリは、小型スイミングプールの側面に設置され、その高さは小型スイミングプール（１０）の外壁の高さより高く、制限ロープ（４０）の一端はロッドアセンブリ上端に連結され、その他端は人体保持体に連結される。人体保持体は、人体を保持できる設計である。使用者は、人体保持体を着用し、これを制限ロープ（４０）に連結し、小型スイミングプール（１０）内で泳ぐ。このとき、使用者は、制限ロープ（４０）により移動の制限を受け、小型スイミングプール（１０）の一定範囲内の位置に維持される。【選択図】  図１
0003105071.tif 000002
【実用新案登録請求の範囲】
【請求項１】
一つの小型スイミングプール（１０）と、一つのロッドアセンブリと、制限ロープ（４０）と、一つの人体保持体とを有し、
上記小型スイミングプール（１０）は貯水できる構成であり、
上記ロッドアセンブリは、上記小型スイミングプール（１０）の側面に設置され、該ロッドアセンブリの高さは上記小型スイミングプール（１０）の外壁の高さよりも高い構成であり、
上記制限ロープ（４０）は、その一端が上記ロッドアセンブリ上端に連結され、もう一端は人体保持体に連結することが可能である構成であり、
上記人体保持体は、人体を保持できる構成であり、
使用者が上記人体保持体を着用し、上記人体保持体を上記制限ロープ（４０）に連結し、小型スイミングプール（１０）内で泳ぐときに、上記制限ロープ（４０）により移動の制限を受けて、上記小型スイミングプール（１０）内で一定範囲内の位置を維持するようにしたことを特徴とする水泳訓練補助機。
【請求項２】
請求項１に記載の水泳訓練補助機において、
上記ロッドアセンブリは、上記小型スイミングプール（１０）の１つの側に設置される高さ調整アセンブリ（２０）であり、
該高さ調整アセンブリ（２０）は、１つの中空状の基座（２１）と、調整ロッド（２２）とからなり、上記基座（２１）の上部は固定棒（２３）を差し込むための穴が設けられ、上記調整ロッド（２２）上に間隔を開けて設けられた固定孔（２４）の位置を合わせ、上記固定棒（２３）を貫通させることにより、上記調整ロッド（２２）の高さが調整可能である構成としたことを特徴とする水泳訓練補助機。
【請求項３】
請求項１に記載の水泳訓練補助機において、
上記ロッドアセンブリは、上記小型スイミングプール（１０）の両側に設置される支柱架（６０）であり、
上記人体保持体は、その両側を、それぞれ２組の上記制限ロープ（４０Ｂ）によって、上記小型スイミングプール（１０）の２つの側に設置された上記支柱架（６０）に連結されることを特徴とする水泳訓練補助機。
【請求項４】
請求項１に記載の水泳訓練補助機において、
上記人体保持体は、１つの着用ベルト（３０）であり、
該着用ベルト（３０）は、人体の上半身に着用することが可能な構成であり、且つ、その後部に１つの連結ベルト（３１）を有し、該連結ベルト（３１）が上記制限ロープ（４０）の底端に連結される構成としたことを特徴とする水泳訓練補助機。
【請求項５】
請求項４に記載の水泳訓練補助機において、
上記着用ベルト（３０）は、腰に着用することが可能である腰用ベルト（５０）であり、且つ、その後部に１つの連結ベルト（３１）を有し、該連結ベルト（３１）が上記制限ロープ（４０）の底端に連結される構成としたことを特徴とする水泳訓練補助機。
【請求項６】
請求項１に記載の水泳訓練補助機において、
上記人体保持体は、１つの定位具（７０）であり、
該定位具（７０）は、その両側を、それぞれ２組の上記制限ロープ（４０Ｂ）により、上記小型スイミングプール（１０）の両側に設置された支柱架（６０）に連結された構成としたことを特徴とする水泳訓練補助機。
【請求項７】
請求項１に記載の水泳訓練補助機において、
上記小型スイミングプール（１０）は、ガラス繊維、或いは、コンクリート、鉄、ビニールによって構成してあることを特徴とする水泳訓練補助機。
【請求項８】
請求項１に記載の水泳訓練補助機において、
上記小型スイミングプール（１０）は、空気注入式であることを特徴とする水泳訓練補助機。
【請求項９】
請求項１に記載の水泳訓練補助機において、
上記制限ロープ（４０、４０Ｂ）は、ゴム材質であり、使用者が遊泳する際、強く引っ張ったときに、強い衝撃を緩和することが可能であることを特徴とする水泳訓練補助機。
【考案の詳細な説明】
【技術分野】
【０００１】
本考案は水泳訓練補助機の構造に係り、特に、室内で使用することができる水泳訓練補助機の構造に関する。
【背景技術】
【０００２】
水泳は全身運動ができ、健康にもよいため、多くの人が水泳を行うためにスイミングプールへ行くが、実際行って見ると、人が多過ぎてゆったりと泳ぐことが難しかったり、又、冬季は水温が低く、或いは温水プールがあっても場所が遠かったり、入場料が高かったり、又、ビギナーであれば、プールで溺れたり、泳げないことで笑われるのではないかと言う不安等もあり、更には自分の体格に自信がなく、水着姿を見られるのが恥ずかしい等の理由で消極的になりやすいということもあり、更に、台湾ではSARSが伝染し、専門家がSARSは冬に再度発生する可能性があると推測しており、スイミングプールのような公共施設は相当な危険性にさらされる可能性があり、人々も敬遠しがちである。
【考案の開示】
【考案が解決しようとする課題】
【０００３】
解決しようとする問題点は、水泳を行ううえで、上記問題点、即ち、地理的問題、季節や天気、個人的理由、伝染病の不安等による支障を解決することにある。
【０００４】
水泳を行ううえで、上記問題点に焦点を当てて、本考案人は上記課題に取り組み、一種の室内で使用できる水泳訓練補助機の構造を完成した。
【課題を解決するための手段】
【０００５】
本考案は、一つの小型スイミングプール（１０）と、一つのロッドアセンブリと、制限ロープ（４０）と、一つの人体保持体とを有し、
上記小型スイミングプール（１０）は貯水できる構成であり、
上記ロッドアセンブリは、上記小型スイミングプール（１０）の側面に設置され、該ロッドアセンブリの高さは上記小型スイミングプール（１０）の外壁の高さよりも高い構成であり、
上記制限ロープ（４０）は、その一端が上記ロッドアセンブリ上端に連結され、もう一端は人体保持体に連結することが可能である構成であり、
上記人体保持体は、人体を保持できる構成であり、
使用者が上記人体保持体を着用し、上記人体保持体を上記制限ロープ（４０）に連結し、小型スイミングプール（１０）内で泳ぐときに、上記制限ロープ（４０）により移動の制限を受けて、上記小型スイミングプール（１０）内で一定範囲内の位置を維持するようにしたものである。
【考案の効果】
【０００６】
１．水泳訓練補助機は住宅に設置することも可能で、自宅のベランダや屋上、或いは庭等に設置することも可能である。
【０００７】
２．気温が低い時は、小型スイミングプール（１０）内に温水を入れ、温水プールとして使用することもでき、又、室内で使用することにより、天気の影響を受けることもなく、且つ、水量も最小限でよく、水道料金も大幅に節約することができる。
【０００８】
３．使用後はその都度排水し、毎回新しい水を使用することで、清潔な状態を維持でき、衛生的である。
【０００９】
４．使用者が制限ロープ（４０）に連結された着用ベルト（３０）を身に着け、泳ぐことにより、身体上部が浮き上がり、ビギナーでも安心して泳ぐことができる。
【００１０】
５．小型スイミングプール（１０）の両側に設置された支柱架（６０）から複数の制限ロープ（４０Ｂ）で定位具（７０）を吊り下げることにより、使用者が手足の動きを止めたときでも沈むことはなく、上記構造により、老人、子供、ビギナー、或いは身体が不自由な人でも安心して、使用することができる。
【考案を実施するための最良の形態】
【００１１】
次に本考案の実施の形態について説明する。
【実施例１】
【００１２】
図１及び図２は本考案の実施例１の水泳訓練補助機の構造を示す。水泳訓練補助機は、一つの小型スイミングプール１０と、一つのロッドアセンブリと制限ロープ４０と、一つの人体保持体とからなる。
【００１３】
小型スイミングプール１０は貯水できるものである。
【００１４】
ロッドアセンブリは小型スイミングプール１０の側面に設置され、ロッドアセンブリの高さは小型スイミングプール１０外壁の高さより高い。
【００１５】
制限ロープ４０の一端はロッドアセンブリ上端に連結され、もう一端は人体保持体に連結することが可能である。
【００１６】
人体保持体は、人体を保持できる設計である。使用者が人体保持体を着用し、人体保持体を制限ロープ４０に連結し、小型スイミングプール１０内で泳ぐ時、制限ロープ４０により移動の制限を受けるため、使用者は小型スイミングプール１０内の一定範囲内の位置を維持することができる。
【００１７】
上記の水泳訓練補助機は、室内に設置することが可能で、病院或いは施設等で使用することが可能である。
【００１８】
図１及図２に示すように、ロッドアセンブリは小型スイミングプール１０の１つの側に設置することができる高さ調整アセンブリ２０でもよい。高さ調整アセンブリ２０は一つの中空状の基座２１と調整ロッド２２とからなる。基座２１の上部は固定棒２３を差し込むための穴が設けられ、調整ロッド２２に間隔を開けて設けられた固定孔２４の位置を合わせ、固定棒２３を貫通させることにより、調整ロッド２２の高さの調整を行うことができる。
【００１９】
同じく、図１及図２に示すように、人体保持体は人体の上半身に着用することができる一つの着用ベルト３０でもよい。着用ベルト３０は後部に１つの連結ベルト３１を有し、この連結ベルト３１は制限ロープ４０の底端に連結することができる。
【００２０】
図３に示す如く、人体保持体は腰に着用することができる腰用ベルト５０でもよい。この腰用ベルト５０も連結ベルト５１を有し、この連結ベルト５１は制限ロープ４０に連結することができる。
【００２１】
図４及び図５は、上記ロッドアセンブリ及び上記人体保持体の構造形態のもう１つの実施例を示す。ロッドアセンブリは小型スイミングプール１０の両側に設置することができる支柱架６０である。人体保持体は一つの定位具７０であり、定位具７０は両側にそれぞれ２組の制限ロープ４０Ｂにより、小型スイミングプール１０の２つの側に設置された支柱架６０と連結することができる。
【００２２】
定位具７０は、小型スイミングプール１０の両側に設置された支柱架６０から複数の制限ロープ４０Ｂでもって吊り下げられているため、使用者が手足の動きを止めたときでも沈むことはなく、老人、子供、ビギナー、或いは身体が不自由な人でも安心して、使用することができる
上記各実施例において、小型スイミングプール１０は、ガラス繊維、或いは、コンクリート、鉄、ビニール製である。また、小型スイミングプール１０は、空気を注入して膨らまして形作る空気を注入式であってもよい。
【００２３】
上記制限ロープ４０、４０Ｂは、ゴム材質であってもよい。制限ロープ４０、４０Ｂをゴム材質とした場合には、使用者が遊泳する際、強く引っ張ったときの強い衝撃を緩和することが可能である。
【図面の簡単な説明】
【００２４】
【図１】本考案の実施例１の水泳訓練補助機の正面図である。
【図２】図１の水泳訓練補助機の高さ調整アセンブリの高さを低く調整した状態を示す正面図である。
【図３】本考案の人体保持体のもう１つの実施例の正面図である。
【図４】本考案の実施例２の水泳訓練補助機の正面図である。
【図５】図４の水泳訓練補助機の平面図である。
【符号の説明】
【００２５】
１０  小型スイミングプール
２０  高さ調整アセンブリ
２１  基座
２２  調整ロッド
２３  固定棒
２４  固定孔
３０  着用ベルト
３１  連結ベルト
４０，４０Ｂ  制限ロープ
５０  腰用ベルト
５１  連結ベルト
６０  支柱架
７０  定位具
【図１】
0003105071.tif 000003
【図２】
0003105071.tif 000004
【図３】
0003105071.tif 000005
【図４】
0003105071.tif 000006
【図５】
0003105071.tif 000007